(57)【要約】【課題】プレゼンテーションへの使用に好適な撮像装置を提供する。【解決手段】電源／モードスイッチによってカメラのモードをプレゼンテーションモードに設定すると、記憶メディアの記憶領域に作成されているプレゼンテーション用フォルダに格納されている画像ファイルのみが再生される。これにより、プレゼンテーションに関係のない画像ファイルが再生されるのを防止することができる。【選択図】      図１４
2006014217.tif 000002
【特許請求の範囲】
【請求項１】
撮影モードに設定されると、撮影指示に応じて撮像素子から得られる画像データを所定フォーマットの画像ファイルとして記憶メディアに記録し、再生モードに設定されると、再生指示に応じて前記記憶メディアに記録されている画像ファイルが表す画像を表示手段及び電気的に接続された外部表示装置に出力する撮像装置において、
前記撮影モード又は前記再生モードからプレゼンテーションモードに設定するモード切替手段と、
前記プレゼンテーションモードに設定されると、再生指示に応じて前記記憶メディアに格納されているプレゼンテーション用の画像ファイルを抽出し、該画像ファイルが表す画像を前記表示手段及び前記外部表示装置に出力する再生制御手段と、
を備えたことを特徴とする撮像装置。
【請求項２】
前記再生制御手段は、前記外部表示装置に対して前記プレゼンテーション用の画像ファイルが表す画像のみを出力する一方、前記表示手段に対して前記プレゼンテーション用の画像ファイルが表す画像に所定の文字情報を重ねて出力することを特徴とする請求項１に記載の撮像装置。
【請求項３】
前記モード切替手段は、機械的スイッチで構成されることを特徴とする請求項１又は２に記載の撮像装置。
【請求項４】
前記再生制御手段は、前記再生モード時と同一の再生指示に従って前記プレゼンテーション用の画像ファイルを再生処理することを特徴とする請求項１、２又は３に記載の撮像装置。
【請求項５】
基地局と無線で接続されて他の端末と無線で交信する無線電話機能を備えたことを特徴とする請求項１、２、３又は４に記載の撮像装置。
【請求項６】
前記プレゼンテーションモード中の着信に対して留守番応答する留守番応答手段を備えたことを特徴とする請求項５に記載の撮像装置。
【請求項７】
前記プレゼンテーションモード中に着信があると、前記表示手段に着信がある旨のメッセージを表示する着信メッセージ表示手段を備えたことを特徴とする請求項５又は６に記載の撮像装置。
【請求項８】
前記プレゼンテーションモード中に着信があると、振動で着信を通知する振動手段を備えたことを特徴とする請求項５、６又は７に記載の撮像装置。
【請求項９】
前記再生制御手段は、他の機器で生成された画像ファイルを前記プレゼンテーション用の画像ファイルとして抽出し、該画像ファイルが表す画像を前記表示手段及び前記外部表示装置に出力することを特徴とする請求項１、２、３、４、５、６、７又は８に記載の撮像装置。
【請求項１０】
前記再生制御手段は、前記記憶媒体の記憶領域に作成された特定のプレゼンテーション用フォルダに格納されている画像ファイルを前記プレゼンテーション用の画像ファイルとして抽出し、該画像ファイルが表す画像を前記表示手段及び前記外部表示装置に出力することを特徴とする請求項１、２、３、４、５、６、７又は８に記載の撮像装置。
【請求項１１】
前記記憶媒体に記憶されている画像ファイルを前記プレゼンテーション用フォルダにコピーするコピー手段を備えたことを特徴とする請求項１０に記載の撮像装置。
【請求項１２】
前記コピー手段は、前記記憶媒体に記憶されている画像ファイルのショートカットファイルを前記プレゼンテーション用フォルダに作成することを特徴とする請求項１１に記載の撮像装置。
【請求項１３】
前記プレゼンテーション用の画像ファイルが、プレゼンテーション単位で前記プレゼンテーション用フォルダの下位層に形成されたフォルダに格納され、前記プレゼンテーションモードに設定されると、再生リスト表示指示に応じて前記プレゼンテーション用フォルダの下位層に形成されているフォルダを前記表示装置にサムネイル表示させる再生リスト表示制御手段を備えたことを特徴とする請求項１１に記載の撮像装置。
【発明の詳細な説明】
【技術分野】
【０００１】
本発明は、撮像装置に係り、特にプロジェクタ等に接続してプレゼンテーションに使用することができる撮像装置に関する。
【背景技術】
【０００２】
デジタルカメラに備えられた映像出力端子を利用して、デジタルカメラをテレビモニタやプロジェクタなどに接続し、プレゼンテーションに使用することが以前から行われていた。
【０００３】
特許文献１では、デジタルカメラを使用したプレゼンテーションに好適な画像表示システムとして、デジタルカメラをタッチパネル付きＬＣＤ表示装置に接続し、そのＬＣＤ表示装置に備えられたタッチパネルでデジタルカメラをコントロールできるようにすることが提案されている。
【０００４】
また、特許文献２では、デジタルカメラのＬＣＤにタッチタブレットを設け、プレゼンテーション用の再生画像に手書きで文字情報を入力できるようにすることが提案されている。
【０００５】
また、特許文献３では、自動的に再生されるスライドショーの編集、実行を簡単に修正できるようにしたデジタルカメラが提案されている。
【特許文献１】特開２０００−２２９９４号公報
【特許文献２】特開平９−３１１９２６号公報
【特許文献３】特開平１１−３３１７３９号公報
【発明の開示】
【発明が解決しようとする課題】
【０００６】
ところで、従来のデジタルカメラは、画像再生を行う際、記憶メディアに記録されている全ての画像ファイルを対象に画像再生を行うようにされているが、プレゼンテーションに使用するためには、機密保持やプレゼンテーションの効果の面から指定された画像だけを指定された順序で再生する必要がある。
【０００７】
本発明は、このような事情に鑑みてなされたもので、プレゼンテーションへの使用に好適な撮像装置を提供することを目的とする。
【課題を解決するための手段】
【０００８】
請求項１に係る発明は、前記目的を達成するために、撮影モードに設定されると、撮影指示に応じて撮像素子から得られる画像データを所定フォーマットの画像ファイルとして記憶メディアに記録し、再生モードに設定されると、再生指示に応じて前記記憶メディアに記録されている画像ファイルが表す画像を表示手段及び電気的に接続された外部表示装置に出力する撮像装置において、前記撮影モード又は前記再生モードからプレゼンテーションモードに設定するモード切替手段と、前記プレゼンテーションモードに設定されると、再生指示に応じて前記記憶メディアに格納されているプレゼンテーション用の画像ファイルを抽出し、該画像ファイルが表す画像を前記表示手段及び前記外部表示装置に出力する再生制御手段と、を備えたことを特徴とする撮像装置を提供する。
【０００９】
本発明によれば、モード切替手段によってプレゼンテーションモードに設定し、再生指示を出力すると、記憶メディアに格納されているプレゼンテーション用の画像ファイルのみが再生される。これにより、プレゼンテーションに関係のない画像ファイルが再生されるのを防止することができる。
【００１０】
請求項２に係る発明は、前記目的を達成するために、前記再生制御手段は、前記外部表示装置に対して前記プレゼンテーション用の画像ファイルが表す画像のみを出力する一方、前記表示手段に対して前記プレゼンテーション用の画像ファイルが表す画像に所定の文字情報を重ねて出力することを特徴とする請求項１に記載の撮像装置を提供する。
【００１１】
本発明によれば、外部表示装置に対しては、プレゼンテーション用の画像ファイルが表す画像のみが表示され、表示手段に対しては、プレゼンテーション用の画像ファイルが表す画像に所定の文字情報（再生時間やコメントなど）が重ねて表示される。
【００１２】
請求項３に係る発明は、前記目的を達成するために、前記モード切替手段は、機械的スイッチで構成されることを特徴とする請求項１又は２に記載の撮像装置を提供する。
【００１３】
本発明によれば、モード切替手段が機械的スイッチで構成される。これにより、他のモードとの区別が明確になり、誤操作を防止することができる。
【００１４】
請求項４に係る発明は、前記目的を達成するために、前記再生制御手段は、前記再生モード時と同一の再生指示に従って前記プレゼンテーション用の画像ファイルを再生処理することを特徴とする請求項１、２又は３に記載の撮像装置を提供する。
【００１５】
本発明によれば、再生モード時と同一の再生指示に従ってプレゼンテーション用の画像ファイルが再生処理される。たとえば、画像の順送り、逆送り、拡大、縮小等を再生モードと同じ操作で行うことができる。これにより、操作方法の混乱を防止して、誤操作を防止することができる。
【００１６】
請求項５に係る発明は、前記目的を達成するために、基地局と無線で接続されて他の端末と無線で交信する無線電話機能を備えたことを特徴とする請求項１、２、３又は４に記載の撮像装置を提供する。
【００１７】
本発明によれば、無線電話機能が備えられており、他の端末と無線で更新することができる。
【００１８】
請求項６に係る発明は、前記目的を達成するために、前記プレゼンテーションモード中の着信に対して留守番応答する留守番応答手段を備えたことを特徴とする請求項５に記載の撮像装置を提供する。
【００１９】
本発明によれば、プレゼンテーションモード中の着信があると、自動的に留守番応答される。
【００２０】
請求項７に係る発明は、前記目的を達成するために、前記プレゼンテーションモード中に着信があると、前記表示手段に着信がある旨のメッセージを表示する着信メッセージ表示手段を備えたことを特徴とする請求項５又は６に記載の撮像装置を提供する。
【００２１】
本発明によれば、プレゼンテーションモード中に着信があると、表示手段に着信がある旨のメッセージが表示される。
【００２２】
請求項８に係る発明は、前記目的を達成するために、前記プレゼンテーションモード中に着信があると、振動で着信を通知する振動手段を備えたことを特徴とする請求項５、６又は７に記載の撮像装置を提供する
本発明によれば、プレゼンテーションモード中に着信があると、振動で着信が通知される。
【００２３】
請求項９に係る発明は、前記目的を達成するために、前記再生制御手段は、他の機器で生成された画像ファイルを前記プレゼンテーション用の画像ファイルとして抽出し、該画像ファイルが表す画像を前記表示手段及び前記外部表示装置に出力することを特徴とする請求項１、２、３、４、５、６、７又は８に記載の撮像装置を提供する。
【００２４】
本発明によれば、他の機器で生成された画像ファイルが、プレゼンテーション用の画像ファイルと判別されて、プレゼンテーションモード時に再生対象とされる。
【００２５】
請求項１０に係る発明は、前記目的を達成するために、前記再生制御手段は、前記記憶媒体の記憶領域に作成された特定のプレゼンテーション用フォルダに格納されている画像ファイルを前記プレゼンテーション用の画像ファイルとして抽出し、該画像ファイルが表す画像を前記表示手段及び前記外部表示装置に出力することを特徴とする請求項１、２、３、４、５、６、７又は８に記載の撮像装置を提供する。
【００２６】
本発明によれば、記憶メディアの記憶領域に作成された特定のプレゼンテーション用フォルダに格納されている画像ファイルが、プレゼンテーション用の画像ファイルと判別されて、プレゼンテーションモード時に再生対象とされる。
【００２７】
請求項１１に係る発明は、前記目的を達成するために、前記記憶媒体に記憶されている画像ファイルを前記プレゼンテーション用フォルダにコピーするコピー手段を備えたことを特徴とする請求項１０に記載の撮像装置を提供する。
【００２８】
本発明によれば、記憶媒体に記憶されている画像ファイルをプレゼンテーション用フォルダにコピーして、プレゼンテーション用の画像ファイルとすることができる。
【００２９】
請求項１２に係る発明は、前記目的を達成するために、前記コピー手段は、前記記憶媒体に記憶されている画像ファイルのショートカットファイルを前記プレゼンテーション用フォルダに作成することを特徴とする請求項１１に記載の撮像装置を提供する。
【００３０】
本発明によれば、記憶媒体に記憶されている画像ファイルのショートカットファイルがプレゼンテーション用フォルダに作成される。これにより、プレゼンテーション用の画像ファイルが、記憶メディアの容量を圧迫するのを防止することができる。
【００３１】
請求項１３に係る発明は、前記目的を達成するために、前記プレゼンテーション用の画像ファイルが、プレゼンテーション単位で前記プレゼンテーション用フォルダの下位層に形成されたフォルダに格納され、前記プレゼンテーションモードに設定されると、再生リスト表示指示に応じて前記プレゼンテーション用フォルダの下位層に形成されているフォルダを前記表示装置にサムネイル表示させる再生リスト表示制御手段を備えたことを特徴とする請求項１１に記載の撮像装置を提供する。
【００３２】
本発明によれば、再生リストの表示を指示すると、プレゼンテーション用フォルダの下位層に形成されているフォルダが、表示装置にサムネイル表示される。これにより、プレゼンテーション用の画像ファイルの管理が容易になる。
【発明の効果】
【００３３】
本発明に係る撮像装置によれば、プレゼンテーションの使用に好適な撮像装置を提供することができる。
【発明を実施するための最良の形態】
【００３４】
以下、添付図面に従って本発明に係る撮像装置を実施するための最良の形態について説明する。
【００３５】
図１、図２は、それぞれ本発明が適用されたデジタルカメラの正面斜視図と背面斜視図である。
【００３６】
このデジタルカメラ１０は、デジタルカメラやパーソナルコンピュータ、ホームサーバと接続して、画像ファイルを転送する機能を備えており、そのカメラボディ１２の正面には、図１に示すように、撮影レンズ１４、ファインダ窓１６、ストロボ１８、マイクロフォン２０等が設けられており、上面には、シャッターボタン２２、電源／モードスイッチ２４、モードダイヤル２６等が設けられている。
【００３７】
また、カメラボディ１２の背面には、図２に示すように、ファインダ接眼部２８、液晶モニタ３０、ズームボタン３２、十字ボタン３４、ＭＥＮＵ／ＯＫボタン３６、ＤＩＳＰボタン３８、ＢＡＣＫボタン４０、スピーカ４２等が設けられており、片側の側面には、ＵＳＢ端子４４、電源端子４６、映像出力端子４８が設けられている。
【００３８】
また、図示しないカメラボディ１２の底面には、開閉自在なカバーを介してバッテリーを収納するためのバッテリー収納室と、メモリカード（記憶メディア）を装填するためのメモリカードスロットとが設けられている。
【００３９】
シャッターボタン２２は、いわゆる「半押し」と「全押し」とからなる２段ストローク式のスイッチで構成されている。デジタルカメラ１０は、このシャッターボタン２０を半押しすると、ＡＥ（Automatic Exposure：自動露出）、ＡＦ（Auto Focus：自動合焦）、ＡＷＢ（Automatic White Balance ：自動ホワイトバランス）が機能し、全押しすると、画像記録の処理を実行する（静止画撮影時）。
【００４０】
電源／モードスイッチ２４は、デジタルカメラ１０の電源をＯＮ／ＯＦＦする電源スイッチとしての機能と、デジタルカメラ１０のモードを設定するモードスイッチとしての機能を有しており、図２に示すように、「プレゼン位置」、「再生位置」、「ＯＦＦ位置」、「撮影位置」の間をスライド自在に設けられている。デジタルカメラ１０は、この電源／モードスイッチ２４を「再生位置」、「撮影位置」又は「プレゼン位置」に合わせることにより、電源がＯＮになり、「ＯＦＦ位置」に合わせることにより、電源がＯＦＦになる。そして、電源／モードスイッチ２４を「再生位置」に合わせることにより、「再生モード」に設定されて、記録済み画像の再生が可能になり、「撮影位置」に合わせることにより、「撮影モード」に設定されて、画像記録が可能になる。また、「プレゼン位置」に合わせることにより、「プレゼンテーションモード」に設定され、所定のプレゼンテーション用の画像ファイルのみが再生可能になる。
【００４１】
モードダイヤル２６は、デジタルカメラ１０の撮影モードを設定する撮影モード設定手段として機能し、このモードダイヤルの設定位置により、デジタルカメラ１０の撮影モードが、「オート撮影モード」、「動画撮影モード」、「人物撮影モード」、「スポーツ撮影モード」、「風景撮影モード」、「夜景撮影モード」、「プログラム撮影モード」、「絞り優先撮影モード」、「シャッタースピード優先撮影モード」、「マニュアル撮影モード」に設定される。
【００４２】
液晶モニタ３０は、カラー表示が可能な液晶ディスプレイで構成されている。この液晶モニタ３０は、再生モード及びプレゼンテーションモード時にメモリカード（記憶メディア）に記録されている画像を表示するための画像表示パネルとして利用されるとともに、各種設定時にユーザインターフェース表示パネルとして利用される。また、撮影時には必要に応じてスルー画像が表示されて、画角確認用の電子ファインダとして利用される。
【００４３】
ズームボタン３２は、望遠側へのズームを指示するズームテレボタン３２Ｔと、広角側へのズームを指示するズームワイドボタン３２Ｗとで構成され、このズームボタン３２が操作されることにより、撮影画角が変化する。
【００４４】
十字ボタン３４は、上下左右４方向に押圧操作することができるようにされており、各方向の指示を入力するボタンとして機能する。
【００４５】
ＭＥＮＵ／ＯＫボタン３６は、各モードの通常画面からメニュー画面への遷移を指示するボタン（ＭＥＮＵボタン）として機能するとともに、選択内容の確定、処理の実行等を指示するボタン（ＯＫボタン）として機能する。
【００４６】
ＤＩＳＰボタン３８は、背面表示パネルの表示内容の切り替えを指示するボタンとして機能し、ＢＡＣＫボタン４０は、入力操作のキャンセル等を指示するボタンとして機能する。
【００４７】
図３は、デジタルカメラ１０の電気的構成を示すブロック図である。同図に示すように、デジタルカメラ１０は、ＣＰＵ１１０、操作部（シャッターボタン２２、電源／モードスイッチ２４、モードダイヤル２６、ズームボタン３２、十字ボタン３４、ＭＥＮＵ／ＯＫボタン３６、ＤＩＳＰボタン３８、ＢＡＣＫボタン４０等）１１２、ＲＯＭ１１６、ＥＥＰＲＯＭ１１８、メモリ（ＳＤＲＡＭ）１２０、ＶＲＡＭ１２２、光学ユニット１２６、フォーカスモータドライバ１２８、ズームモータドライバ１３０、アイリスモータドライバ１３２、撮像素子１３４、タイミングジェネレータ（ＴＧ）１３６、アナログ処理回路１３８、Ａ／Ｄ変換器１４０、画像入力コントローラ１４２、画像信号処理回路１４４、圧縮・伸張処理回路１４６、メディアコントローラ１４８、記憶メディア（メモリカード）１５０、ＬＣＤ／ビデオエンコーダ１５４、ＯＳＤ回路１５６、ＡＥ／ＡＷＢ検出回路１５８、ＡＦ検出回路１６０、音声信号処理回路１６４、Ｄ／Ａ変換器１６６、アンプ（ＡＭＰ）１６８、アンプ（ＡＭＰ）１７０、自動レベルコントローラ（ＡＬＣ）１７２、Ａ／Ｄ変換器１７４、ＵＳＢコントローラ１８０、タイマ１８４等で構成されている。
【００４８】
ＣＰＵ１１０は、デジタルカメラ１０の全体の動作を制御する制御部として機能するとともに、各種の演算処理を行う演算手段として機能し、操作部１１２からの入力に基づき所定の制御プログラムに従って各回路を制御する。
【００４９】
バス１１４を介して接続されたＲＯＭ１１６には、ＣＰＵ１１０が実行する制御プログラム及び制御に必要な各種データ等が格納されており、ＥＥＰＲＯＭ１１８には、ユーザ設定情報等のデジタルカメラ１０の動作に関する各種設定情報等が格納されている。
【００５０】
メモリ（ＳＤＲＡＭ）１２０は、ＣＰＵ１１０の演算作業用領域として利用されるとともに、画像データの一時記憶領域として利用され、ＶＲＡＭ１２２は、表示用の画像データ専用の一時記憶領域として利用される。
【００５１】
光学ユニット１２６は、撮影レンズ１４と絞り５０とで構成されている。撮影レンズ１４は、図示しないフォーカスモータに駆動されて光軸に沿って前後移動するフォーカスレンズ１４Ｆと、図示しないズームモータに駆動されて光軸に沿って前後移動するズームレンズ１４Ｚとを備えている。ＣＰＵ１１０は、フォーカスモータドライバ１２８を介してフォーカスモータの駆動を制御することにより、撮影レンズ１４のフォーカスを制御し、ズームモータドライバ１３０を介してズームモータの駆動を制御することにより、撮影レンズ１４のズームを制御する。絞り５０は、図示しないアイリスモータに駆動されることにより、開口量（絞り値）が変化する。ＣＰＵ１１０は、アイリスモータドライバ１３２を介してアイリスモータの駆動を制御することにより、絞り５０の絞り値を制御する。
【００５２】
撮像素子１３４は、カラーＣＣＤで構成されており、その受光面には多数のフォトダイオード（受光素子）が配列されている。光学ユニット１２６を介して撮像素子１３４の受光面に入射した光は、各フォトダイオードによって入射光量に応じた量の信号電荷に変換される。
【００５３】
タイミングジェネレータ（ＴＧ）１３６は、ＣＰＵ１１０からの指令に従って主として撮像素子１３４を駆動するためのタイミング信号を生成する。撮像素子１３４は、このタイミングジェネレータ１３６から加えられるタイミング信号に従って各フォトダイオードに蓄積された信号電荷を電圧信号（画像信号）として出力する。
【００５４】
アナログ処理回路１３８は、撮像素子１３４から順次出力される画像信号を相関二重サンプリング処理（撮像素子の出力信号に含まれるノイズ（特に熱雑音）等を軽減することを目的として、撮像素子の１画素毎の出力信号に含まれるフィードスルー成分レベルと画素信号成分レベルとの差をとることにより正確な画素データを得る処理）するとともに、増幅する。
【００５５】
Ａ／Ｄ変換器１４０は、アナログ処理回路１３８から出力されたＲ、Ｇ、Ｂのアナログの画像信号をそれぞれ１２ビットのデジタルの画像信号に変換する。
【００５６】
画像入力コントローラ１４２は、所定容量のラインバッファを内蔵し、Ａ／Ｄ変換器１４０から出力された１画像分の画像信号を蓄積して、メモリ１２０に格納する。
【００５７】
画像信号処理回路１４４は、同時化回路（単板ＣＣＤのカラーフィルタ配列に伴う色信号の空間的なズレを補間して色信号を同時式に変換する処理回路）、ホワイトバランス補正回路、ガンマ補正回路、輪郭補正回路、輝度・色差信号生成回路等を含み、ＣＰＵ１１０からの指令に従って入力されたデジタル画像信号に所要の信号処理を施して、画像データを生成する。
【００５８】
圧縮・伸張処理回路１４６は、ＣＰＵ１１０からの指令に従って入力された画像データに圧縮処理を施し、所定フォーマットの圧縮画像データを生成する。また、入力された圧縮画像データに伸張処理を施し、非圧縮のデジタル画像データを生成する。
【００５９】
メディアコントローラ１４８は、ＣＰＵ１１０からの指令に従ってメディアスロットに装填された記憶メディア１５０に対してデータの読み出し及び書き込みを制御する。
【００６０】
ＬＣＤ／ビデオエンコーダ１５４は、ＣＰＵ１１０からの指令に従って画像データが示す画像を液晶モニタ３０に表示するための信号を生成して、液晶モニタ３０に出力する。また、画像データが示す画像をテレビに表示するための信号（たとえば、ＮＴＳＣ信号やＰＡＬ信号、ＳＣＡＭ信号）を生成して、映像出力端子４８に出力する。
【００６１】
ＯＳＤ（On Screen Display ）回路１５６は、ＣＰＵ１１０からの指令に従って液晶モニタ等の画面上に表示する文字や図形を示す信号をＬＣＤ／ビデオエンコーダ１５４に出力する。
【００６２】
ＡＥ／ＡＷＢ検出回路１５８は、ＣＰＵ１１０からの指令に従って、入力された画像信号からＡＥ制御及びＡＷＢ制御に必要な物理量を算出する。たとえば、ＡＥ制御に必要な物理量として、１画面を複数のエリア（たとえば１６×１６）に分割し、分割した各エリアごとにＲ、Ｇ、Ｂの画像信号の積算値を算出する。ＣＰＵ１１０は、このＡＥ／ＡＷＢ検出回路１５８から得た積算値に基づいて被写体の明るさ（被写体輝度）を検出して、撮影に適した露出値（撮影ＥＶ値）を算出し、算出した撮影ＥＶ値と所定のプログラム線図から絞り値とシャッタースピードを決定する。また、ＡＷＢ制御に必要な物理量として、１画面を複数のエリア（例えば、１６×１６）に分割し、分割した各エリアごとにＲ、Ｇ、Ｂの画像信号の色別の平均積算値を算出する。ＣＰＵ１１０は、得られたＲの積算値、Ｂの積算値、Ｇの積算値から各分割エリアごとにＲ／Ｇ及びＢ／Ｇの比を求め、求めたＲ／Ｇ、Ｂ／Ｇの値のＲ／Ｇ、Ｂ／Ｇの色空間における分布等に基づいて光源種判別を行う。そして、判別された光源種に適したホワイトバランス調整値に従って、たとえば各比の値がおよそ１（つまり、１画面においてＲＧＢの積算比率がＲ：Ｇ：Ｂ≒１：１：１）になるように、ホワイトバランス調整回路のＲ、Ｇ、Ｂ信号に対するゲイン値（ホワイトバランス補正値）を決定する。
【００６３】
ＡＦ検出回路１６０は、ＣＰＵ１１０からの指令に従って、入力された画像信号からＡＦ制御に必要な物理量を算出する。本実施の形態のデジタルカメラ１０では、画像のコントラストによりＡＦ制御を行うものとし、ＡＦ検出回路１６０は、入力された画像信号から画像の鮮鋭度を示す焦点評価値を算出する。ＣＰＵ１１０は、このＡＦ検出回路１６０で算出される焦点評価値が極大となるように、フォーカスモータドライバ１２８の駆動を制御し、フォーカスレンズ１４Ｆの移動を制御する。
【００６４】
音声信号処理回路１６４は、ＣＰＵ１１０からの指令に従ってスピーカ４２から出力する音声信号を処理するとともに、マイクロフォン２０から取り込まれた音声信号を処理する。
【００６５】
音声信号処理回路１６４で所要の信号処理が施されたスピーカ出力用の音声信号は、音声信号処理回路１６４からＤ／Ａ変換器１６６に加えられ、アナログの音声信号に変換されたのち、アンプ１６８で増幅されて、スピーカ４２に出力される。
【００６６】
音声を記録する場合は、外部音声がマイクロフォン２０で電気信号（音声信号）に変換され、そのマイクロフォン２０から出力された音声信号がアンプ１７０で増幅される。そして、自動レベルコントローラ（ＡＬＣ）１７２でレベル調整が行われたのち、Ａ／Ｄ変換器１７４でデジタルの音声信号に変換され、音声信号処理回路１６４に入力されて、所要の信号処理が施される。
【００６７】
ＵＳＢコントローラ１８０は、ＣＰＵ１１０からの指令に従ってＵＳＢケーブルを介してＵＳＢ端子４４に接続された外部機器（他のデジタルカメラやホームサーバ、パソコン、プリンタ等）との間でＵＳＢ規格に従った通信の制御を行う。
【００６８】
タイマ１８４は、ＣＰＵ１１０からの指令に応じて現在日時を計時し、計時した日時情報をＣＰＵ１１０に出力する。
【００６９】
次に、上記のごとく構成された本実施の形態のデジタルカメラ１０の作用について説明する。
【００７０】
まず、撮影モード時におけるデジタルカメラ１０の処理動作について説明する。
【００７１】
上記のように、デジタルカメラ１０は、電源／モードスイッチ２４を撮影位置に合わせることにより、撮影モードに設定される。撮影モードに設定されると、デジタルカメラ１０は、シャッターボタン２２の半押しでＡＥ、ＡＦ、ＡＷＢが機能し、全押しで画像記録が行われる。
【００７２】
シャッターボタン２２が半押しされると、ＣＰＵ１１０にＳ１ＯＮ信号が入力され、このＳ１ＯＮ信号に応動して、ＣＰＵ１１０はＡＥ、ＡＦ、ＡＷＢの処理を実行する。
【００７３】
まず、Ｓ１ＯＮ信号に応動して撮像素子１３４から出力された画像信号が、アナログ処理回路１３８、Ａ／Ｄ変換器１４０を介して画像入力コントローラ１４２に取り込まれ、メモリ１２０に格納される。メモリ１２０に格納された画像信号は、ＡＥ／ＡＷＢ検出回路１５８並びにＡＦ検出回路１６０に加えられる。
【００７４】
ＡＥ／ＡＷＢ検出回路１５８は、入力された画像信号からＡＥ制御及びＡＷＢ制御に必要な物理量を算出し、ＣＰＵ１１０に出力する。ＣＰＵ１１０は、このＡＥ／ＡＷＢ検出回路１５８からの出力に基づき、絞り値とシャッタースピードを決定するとともに、ホワイトバランス補正値を決定する。
【００７５】
また、ＡＦ検出回路１６０は、入力された画像信号からＡＦ制御に必要な物理量を算出し、ＣＰＵ１１０に出力する。ＣＰＵ１１０は、このＡＦ検出回路１６０からの出力に基づきフォーカスモータドライバ１２８の駆動を制御し、フォーカスレンズ１４Ｆの移動を制御して、撮影レンズ１４のピントを主要被写体に合わせる。
【００７６】
この後、シャッターボタン２２が全押しされると、ＣＰＵ１１０にＳ２ＯＮ信号が入力され、このＳ２ＯＮ信号に応動して、ＣＰＵ１１０は画像の記録処理を実行する。
【００７７】
まず、上記のＡＥ処理で求めた絞り値、シャッタースピードで撮像素子１３４を露光し、記録用の画像信号の取り込みを行う。
【００７８】
撮像素子１３４から出力された画像信号は、アナログ処理回路１３８、Ａ／Ｄ変換器１４０を介して画像入力コントローラ１４２に取り込まれ、メモリ１２０に格納される。メモリ１２０に格納された画像信号は、ＣＰＵ１１０の制御の下、画像信号処理回路１４４に加えられ、輝度データと色差データとからなる画像データ（ＹＣデータ）に変換される。生成された画像データは、一旦、メモリ１２０に格納され、圧縮・伸張処理回路１４６に加えられる。圧縮・伸張処理回路１４６は、画像データを所定の圧縮フォーマット（ここでは、ＪＰＥＧとする）に従って圧縮し、圧縮された画像データは、再度、メモリ１２０に格納される。
【００７９】
ＣＰＵ１１０は、このメモリ１２０に格納された圧縮画像データを所定の画像フォーマット（ここでは、Ｅｘｉｆとする）の静止画像ファイルとして、メディアコントローラ１４８を介して記憶メディア１５０に記録する。
【００８０】
なお、Ｅｘｉｆ形式の画像ファイルは、図４に示すように、付属情報を画像ファイルヘッダ部にタグ形式で記録することができるようにされており、その付属情報タグには、図５に示すように、バージョンに関する情報や画像データの特性に関する情報、構造に関する情報、ユーザ情報、関連ファイル情報、日時に関する情報、撮影条件に関する情報、ＩＦＤへのポインタに関する情報等の撮影した画像に関する撮影データがタグ形式で記録できるようにされている。
【００８１】
ここで、ユーザ情報に関するタグであるメーカノートには、メーカが個別の情報を記入することができるようにされており、また、ユーザコメントには、ユーザがキーワードやコメントを書き込むことができるようにされている。
【００８２】
また、撮影条件に関するタグには、図５に別表で示すように、撮影時の露出時間やＦナンバー、露出プログラム、スペクトル感度、ＩＳＯスピードレート、光電変換関数、シャッタスピード、絞り値、輝度値、露出補正値、レンズ最小Ｆ値、被写体距離、測光方式、光源、フラッシュ、レンズ焦点距離、フラッシュ強度、空間周波数応答、焦点面の幅の解像度、焦点面の高さの解像度、焦点面解像度単位、被写体位置、露出インデックス、センサー方式、ファイルソース、シーンタイプ、ＣＦＡパターン等が記録できるようにされている。
【００８３】
撮影された画像データは、これらの付属情報が付されたＥｉｘｆ形式の画像ファイルとして記憶メディア１５０に記録される。
【００８４】
また、画像ファイルは、記憶メディア１５０に記録する際、所定の記録フォーマット（ここでは、ＤＣＦ形式）に従って記憶メディア１５０に記録される。すなわち、図６に示すように、記憶メディア１５０の記憶領域に階層的に作成されたフォルダの中のＤＣＦフォルダに格納される。この画像ファイルを格納するＤＣＦフォルダは、ＤＣＦイメージルートフォルダの直下に作成されており、ＤＣＦイメージルートフォルダは、ルートフォルダの直下に作成されている。また、このＤＣＦフォルダには、９９９９枚の画像ファイルを格納することができるようにされており、最大９００のＤＣＦフォルダを作成することができるようにされている。
【００８５】
本実施の形態のデジタルカメラ１０では、図６に示すように、「ＤＣＩＭ」というフォルダ名のＤＣＦイメージルートフォルダの下位層に「＊＊＊＿ＦＵＪＩ」（＊＊＊は、３桁の数字からなるフォルダ番号であり、１００から順に連続番号が付与される。）というフォルダ名のＤＣＦフォルダを作成し、このＤＣＦフォルダに自機で撮影した画像ファイルを格納するようにされている。したがって、「１００＿ＸＸＸＸ」というように、「＊＊＊＿ＦＵＪＩ」というフォルダ名以外のフォルダは、他の機器で生成された画像ファイルが格納されていることになる。
【００８６】
また、各ＤＣＦフォルダに格納される画像ファイルには、「ＤＳＣＦ＊＊＊＊」というように、アルファベット４文字（ここでは「ＤＳＣＦ」）と４桁のファイル番号とを組み合わせたファイル名が付与される。ファイル番号は０００１から撮影順に連続番号として付与される。
【００８７】
次に、再生モード時におけるデジタルカメラ１０の処理動作について説明する。
【００８８】
上記のように、デジタルカメラ１０は、電源／モードスイッチ２４を再生位置に合わせることにより、再生モードに設定される。
【００８９】
電源／モードスイッチ２４が再生位置に合わされて、カメラのモードが再生モードに設定されると、ＣＰＵ１１０は、メディアコントローラ１４８にコマンドを出力し、記憶メディア１５０に最後に記録された画像ファイルを読み出させる。
【００９０】
最後に記録された画像ファイルが、静止画の画像ファイルの場合、読み出された画像ファイルの圧縮画像データは、圧縮・伸張処理回路１４６に加えられ、伸張処理が施されて非圧縮の画像データにされたのち、ＬＣＤ／ビデオエンコーダ１５４を介してモニタ３０に出力される。これにより、記憶メディア１５０に記録されている画像がモニタ３０に再生表示される。
【００９１】
画像のコマ送りは、十字ボタン３４の左右のキー操作で行なわれる。すなわち、十字ボタン３４の右キーが操作されると、次の画像ファイルが記憶メディア１５０から読み出されて、液晶モニタ３０に再生表示され、左キーが操作されると、一つ前の画像ファイルが記憶メディア１５０から読み出されて、液晶モニタ３０に再生表示される。
【００９２】
また、画像表示中にズームテレボタン３２Ｔが押されると、表示中の画像が所定の倍率で段階的に拡大表示され、ズームワイドボタン３２Ｗが押されると、所定の倍率で段階的に縮小表示される。そして、画像の拡大表示中に十字ボタン３４が操作されると、その十字ボタン３４を操作した方向に画像がスクロール表示される。
【００９３】
また、この再生モードの下、ＤＩＳＰボタン３８が押されると、図７（ａ）に示すように、マルチ再生が行われ、最大９枚の画像ファイルのサムネイル画像が一度に液晶モニタ３０に表示（サムネイル表示）される。
【００９４】
なお、このマルチ再生を行うと、サムネイル画像とともにカーソルが表示され、このカーソルで任意のサムネイル画像を選択し（カーソルを十字ボタン３８の操作で移動させて選択する。）、ＤＩＳＰボタン３８を押すと、図７（ｂ）に示すように、そのカーソルで選択された画像が液晶モニタ３０に拡大表示される。
【００９５】
また、この再生モードの下、再生メニューからスライドショーを実行すると、記憶メディア１５０に記録されている画像ファイルが一定間隔で順次自動再生されて、スライドショーが行われる。
【００９６】
次に、プレゼンテーションモード時におけるデジタルカメラ１０の処理動作について説明する。
【００９７】
上記のように、デジタルカメラ１０は、電源／モードスイッチ２４をプレゼン位置に合わせることにより、プレゼンテーションモードに設定される。
【００９８】
プレゼンテーションモードでは、記憶メディア１５０に記録されている画像ファイルの中から他の機器で生成された画像ファイルが再生される。
【００９９】
このプレゼンテーションモードでは、デジタルカメラ１０をプロジェクタやテレビモニタ等の外部表示装置に接続し、これらの外部表示装置に画像を出力して使用する。ここでは、図８に示すように、デジタルカメラ１０をプロジェクタ２００に接続し、このプロジェクタ２００からスクリーン２０２にデジタルカメラ１０の画像を映し出して使用することとする。
【０１００】
電源／モードスイッチ２４がプレゼン位置に合わされて、カメラのモードがプレゼンテーションモードに設定されると、ＣＰＵ１１０は、メディアコントローラ１４８にコマンドを出力し、記憶メディア１５０に記録されているプレゼンテーション用の画像ファイルを読み出させる。
【０１０１】
ここで、プレゼンテーション用の画像ファイルとは、本例では他の機器で生成された画像ファイルを意味し、次のように判別して抽出する。すなわち、上記のように、本実施の形態のデジタルカメラ１０では、撮影した画像ファイルを所定の記録フォーマット（ＤＣＦ形式）に従って記録メディア１５０に記録しており、この記録フォーマットに従わずに記録されている画像ファイルは、他の機器で生成した画像ファイルと認識することができるので、この所定の記録フォーマットに従わずに記録されている画像ファイルを他の機器で生成した画像ファイル、すなわちプレゼンテーション用の画像ファイルと判定して抽出する。
【０１０２】
本実施の形態のデジタルカメラ１０では、ＤＣＦイメージルートフォルダ（フォルダ名：ＤＣＩＭ）の下位層に作成されたＤＣＦフォルダ（フォルダ名：＊＊＊＿ＦＵＪＩ）に撮影した画像ファイルが格納されるので、このＤＣＦフォルダ以外のフォルダに格納されている画像ファイルをプレゼンテーション用の画像ファイルと判定して抽出する。したがって、図６に示す例では、「１００＿ＸＸＸＸ」というフォルダ名のフォルダに格納されている画像ファイルがプレゼンテーション用の画像ファイルと判定されて、記憶メディア１５０から抽出される。
【０１０３】
なお、プレゼンテーション用の画像ファイルは、まず最初にファイル名順で先頭の画像ファイルが読み出され、以後、コマ送りの指示に従ってファイル名の順に次の画像ファイルが読み出される。したがって、図６に示す例では、フォルダ名「１００＿ＸＸＸＸ」というフォルダに格納されている「ＤＳＣＦ０００１」というファイル名の画像ファイルが最初に読み出される。
【０１０４】
また、プレゼンテーション用の画像ファイルがない場合は、表示する画像がない旨のメッセージを液晶モニタ３０に出力表示する。
【０１０５】
読み出された画像ファイルの圧縮画像データは、圧縮・伸張処理回路１４６に加えられ、非圧縮の画像データにされたのち、ＬＣＤ／ビデオエンコーダ１５４に加えられる。ＬＣＤ／ビデオエンコーダ１５４は、ＣＰＵ１１０からの指令に従って、その画像データが示す画像を液晶モニタ３０に表示するための信号を生成し、液晶モニタ３０に出力する。また、その画像データが示す画像をプロジェクタ２００に表示するための信号（ここでは、ＮＴＳＣ信号とするが、ハイビジョンの映像信号やパーソナルコンピュータとモニタとを接続する高解像の信号でもよい）を生成して、映像出力端子４８に出力する。
【０１０６】
これにより、記憶メディア１５０に記録されているプレゼンテーション用の画像ファイルが表す画像が液晶モニタ３０に表示されるとともに、プロジェクタ２００に出力され、プロジェクタ２００からスクリーン２０２に映し出される。
【０１０７】
なお、画像のコマ送り、拡大・縮小等の操作は、すべて再生モード時と同じ操作で行われる。そのため、ユーザは、プレゼンテーションモードにおいても操作に戸惑うことがない。
【０１０８】
すなわち、画像のコマ送りは、十字ボタン３４で行われ、画像の拡大・縮小は、ズームボタン３２で行われる。また、画像の拡大表示中に十字ボタン３４が操作されると、その十字ボタン３４を操作した方向に画像がスクロールされて表示される。
【０１０９】
また、画像再生中にＤＩＳＰボタン３８が押されると、マルチ再生が行われ、最大９枚のプレゼンテーション用の画像ファイルのサムネイル画像が一度に液晶モニタ３０及びプロジェクタに表示される。そして、この中の任意のサムネイル画像をカーソルで選択し、ＤＩＳＰボタン３８を押すと、そのカーソルで選択された画像が液晶モニタ３０及びプロジェクタ２００に拡大表示される。
【０１１０】
また、このプレゼンテーションモードの下、再生メニューからスライドショーを実行すると、記憶メディア１５０に記録されているプレゼンテーション用の画像ファイルが一定間隔で順次自動再生されて、スライドショーが行われる。
【０１１１】
このように、本実施の形態のデジタルカメラ１０では、プレゼンテーションモードに設定すると、プレゼンテーション用の画像ファイル（ここでは、他の機器で生成された画像ファイル）のみを再生する。これにより、プレゼンテーション中に誤って関係のない画像ファイルを表示してしまうようなミスを未然に防止することができる。
【０１１２】
なお、本実施の形態では、他の機器で生成された画像ファイルをプレゼンテーション用の画像ファイルとし、所定の記録フォーマットに従わずに記録されている画像ファイルを他の機器で生成した画像ファイルとして判別しているが、他の機器で生成した画像ファイルを判別する方法は、これに限定されるものではない。
【０１１３】
たとえば、自機で撮影した画像ファイルには、自機で撮影した画像ファイルであることを示す情報を付属情報に記録し（たとえば、メーカノートにカメラＩＤ（自他識別情報）を記録）、この情報を読み取って他の機器で生成した画像ファイルと識別するようにしてもよい。
【０１１４】
あるいは、自機で撮影した画像ファイルには、特定の文字列を含むファイル名を付与して記録し、この文字列を含まないファイル名の画像ファイルを他の機器で生成した画像ファイルと判定するようにしてもよい。
【０１１５】
なお、本明細書でいう画像ファイルには、デジタルカメラで生成したものに限らず、特定のアプリケーションソフトを用いてパーソナルコンピュータで作成したもの（たとえばマイクロソフト社製のパワーポイントなどで作成したプレゼンテーションファイルやマイクロソフト社製のワードなどで作成した文書ファイル、ＨＴＭＬファイル等）も含まれるものとする。デジタルカメラ１０は、これらのファイルも再生できるようにされているものとし、図９に示すように、これらのファイルが記憶メディア１５０に記録されている場合には、これらのファイルもプレゼンテーション用の画像ファイルと認定して、プレゼンテーションモード時における再生処理の対象とする。
【０１１６】
また、本実施の形態では、プレゼンテーションモード時に液晶モニタ３０とプロジェクタ２００（外部表示装置）とに同じ画像を出力しているが、図１０に示すように、液晶モニタ側にのみアシスト情報を表示させることができるようにしてもよい。このアシスト情報とは、残り時間や発表コメントなどの情報であり、文字情報として再生画像に重ねて表示する。
【０１１７】
この場合において、残り時間は、たとえば、あらかじめプレゼンテーション時間をセットすると、プレゼンテーション用の画像ファイルの再生開始とともに、そのセットされたプレゼンテーション時間がタイマー１８４でカウントダウンして計時され、そのタイマー１８４で計時された残り時間を液晶モニタ３０にのみ表示させるようにする。
【０１１８】
また、発表コメントに関しては、あらかじめ各プレゼンテーション用の画像ファイルに画像データとともに発表コメントを記録しておき（たとえば、Ｅｘｉｆ形式の画像ファイルであれば、付属情報のユーザコメントに記録する）、その画像ファイルの再生時に画像データとともに読み出して、液晶モニタ３０にのみ表示させるようにする。
【０１１９】
このように、液晶モニタ側にのみアシスト情報を表示することにより、ユーザは、この液晶モニタ３０に表示されるアシスト情報を参照して効率よくプレゼンテーションを行うことができる。
【０１２０】
また、本実施の形態では、カメラのモードをプレゼンテーションモードに設定する手段として、スライド式の電源／モードスイッチ２４を用いているが、カメラのモードをプレゼンテーションモードに設定する手段は、これに限定されるものではない。たとえば、図１１に示すように、スライド式の電源／モードスイッチ２４に代えてダイヤル式の電源モードスイッチ２４Ａを用いてもよい。
【０１２１】
なお、再生モードの下、再生メニューからプレゼンテーションモードに移行するようにしてもよいが、本実施の形態のデジタルカメラ１０のように、機械式のスイッチでプレゼンテーションモードの設定を行うようにすることにより、プレゼンテーションモードの設定を確実に行うことができ、誤操作を防止することができる。
【０１２２】
次に、本発明に係る撮像装置の第２の実施の形態について説明する。
【０１２３】
上述した第１の実施の形態のデジタルカメラでは、他の機器で生成された画像ファイルをプレゼンテーション用の画像ファイルとしているが、本実施の形態のデジタルカメラでは、記憶メディアの記憶領域に作成された特定のフォルダに格納されている画像ファイルをプレゼンテーション用の画像ファイルとする。
【０１２４】
なお、デジタルカメラの構成自体は上述した第１の実施の形態のデジタルカメラと同じなので、ここではプレゼンテーションモード時におけるデジタルカメラの動作処理についてのみ説明する。
【０１２５】
上記のように本実施の形態のデジタルカメラでは、プレゼンテーション用の画像ファイルが特定のフォルダに格納される。図１２は、本実施の形態のデジタルカメラの記憶メディアの記憶領域に作成されるフォルダ構造の一例を示している。
【０１２６】
上記同様にデジタルカメラで撮影された画像ファイルは、所定の記録フォーマット（ここでは、ＤＣＦ形式）に従って記憶メディア１５０に記録される。すなわち、ＤＣＦイメージルートフォルダ（フォルダ名：ＤＣＩＭ）の下位層に作成されたＤＣＦフォルダ（フォルダ名：＊＊＊＿ＦＵＪＩ（＊＊＊はフォルダ番号））に格納される。
【０１２７】
一方、プレゼンテーション用の画像ファイルは、ルートフォルダの直下に作成されたプレゼンテーション用ルートフォルダ（フォルダ名：ＰＬＩＭ）に格納される。
【０１２８】
次に、本実施の形態のデジタルカメラにおけるプレゼンテーションモード時におけるプレゼンテーション用の画像ファイルの再生処理動作について説明する。
【０１２９】
電源／モードスイッチ２４がプレゼン位置に合わされて、カメラのモードがプレゼンテーションモードに設定されると、ＣＰＵ１１０は、メディアコントローラ１４８を介してプレゼンテーション用ルートフォルダに格納されているプレゼンテーション用の画像ファイルの中からファイル名順で先頭の画像ファイルを読み出させる。
【０１３０】
読み出された画像ファイルの圧縮画像データは、圧縮・伸張処理回路１４６に加えられ、非圧縮の画像データにされたのち、ＬＣＤ／ビデオエンコーダ１５４に加えられる。ＬＣＤ／ビデオエンコーダ１５４は、ＣＰＵ１１０からの指令に従って、その画像データが示す画像を液晶モニタ３０に表示するための信号を生成し、液晶モニタ３０に出力する。また、その画像データが示す画像をプロジェクタ２００に表示するための信号を生成して、映像出力端子４８に出力する。
【０１３１】
これにより、図１３( ａ）に示すように、記憶メディア１５０に記録されているプレゼンテーション用の画像ファイルが表す画像が、液晶モニタ３０に表示されるとともに、プロジェクタ２００に出力され、プロジェクタ２００からスクリーン２０２に映し出される。
【０１３２】
なお、プレゼンテーション用ルートフォルダにプレゼンテーション用の画像ファイルが格納されていない場合は、図１３( ｂ) に示すように、再生する画像がない旨のメッセージが液晶モニタ３０に表示される。
【０１３３】
画像のコマ送り、拡大・縮小等の操作は、上述した第１の実施の形態のデジタルカメラと同様に、すべて再生モード時と同じ操作で行われる。すなわち、画像のコマ送りは、十字ボタン３４で行われ、画像の拡大・縮小は、ズームボタン３２で行われる。また、画像の拡大表示中に十字ボタン３４が操作されると、その十字ボタン３４を操作した方向に画像がスクロールする。
【０１３４】
また、画像再生中にＤＩＳＰボタン３８が押されると、マルチ再生が行われ、図１３( ｃ) に示すように、最大９枚のプレゼンテーション用の画像ファイルのサムネイル画像が一度に液晶モニタ３０及びプロジェクタに表示される。そして、この中の任意のサムネイル画像をカーソルで選択し、ＤＩＳＰボタン３８を押すと、そのカーソルで選択された画像が液晶モニタ３０及びプロジェクタ２００に拡大表示される。
【０１３５】
また、再生メニューからスライドショーを実行すると、プレゼンテーション用ルートフォルダに格納されているプレゼンテーション用の画像ファイルが一定間隔で順次自動再生されて、スライドショーが行われる。
【０１３６】
このように、本実施の形態のデジタルカメラにおいても、プレゼンテーションモードに設定すると、プレゼンテーション用の画像ファイル（ここでは、プレゼンテーション用ルートフォルダに格納された画像ファイル）のみを再生する。これにより、プレゼンテーション中に誤って関係のない画像ファイルを表示してしまうようなミスを未然に防止することができる。
【０１３７】
なお、本実施の形態では、プレゼンテーション用ルートフォルダの中に直接プレゼンテーション用の画像ファイルを格納するようにしているが、図１４に示すように、プレゼンテーション用ルートフォルダの下位層に更にフォルダ（プレゼンテーション用フォルダ）を作成し、このプレゼンテーション用フォルダの中にプレゼンテーション用の画像ファイルを格納するようにしてもよい。
【０１３８】
以下、プレゼンテーション用ルートフォルダの下位層にプレゼンテーション用フォルダを作成してプレゼンテーション用の画像ファイルを格納した場合におけるデジタルカメラの処理動作について説明する。
【０１３９】
図１４に示すように、デジタルカメラで撮影された画像ファイルは、所定の記録フォーマット（ここでは、ＤＣＦ形式）に従って記憶メディア１５０に記録される。すなわち、ＤＣＦイメージルートフォルダ（フォルダ名：ＤＣＩＭ）の下位層に作成されたＤＣＦフォルダ（フォルダ名：＊＊＊＿ＦＵＪＩ（＊＊＊はフォルダ番号））に格納される。
【０１４０】
一方、プレゼンテーション用の画像ファイルは、ルートフォルダの直下にプレゼンテーション用ルートフォルダ（フォルダ名：ＰＬＩＭ）を作成し、そのプレゼンテーション用ルートフォルダの下位層に作成されたプレゼンテーション用フォルダ（フォルダ名：ＰＬ＿＊＊＊（＊＊＊はフォルダ番号））に格納される。このプレゼンテーション用フォルダは、プレゼンテーション単位で作成される。
【０１４１】
電源／モードスイッチ２４をプレゼン位置に合わさて、カメラのモードをプレゼンテーションモードに設定すると、ＣＰＵ１１０は、メディアコントローラ１４８を介してプレゼンテーション用ルートフォルダ（フォルダ名：ＰＬＩＭ）に作成されているプレゼンテーション用フォルダ（フォルダ名：ＰＬ＿＊＊＊）の一覧を取得する。
【０１４２】
そして、図１５( ａ) に示すように、再生リストとして、プレゼンテーション用ルートフォルダに作成されているプレゼンテーション用フォルダの一覧を液晶モニタ３０に表示させる。この再生リストには、プレゼンテーション用フォルダとともにカーソルが表示される。ユーザは、このカーソルで再生対象とするプレゼンテーション用フォルダを選択し（カーソルを十字ボタン３８の操作で移動させて選択する。）、ＭＥＮＵ／ＯＫボタン３６を押す。
【０１４３】
再生対象とするプレゼンテーション用フォルダが選択されると、ＣＰＵ１１０は、メディアコントローラ１４８を介して選択されたプレゼンテーション用フォルダに格納されているプレゼンテーション用の画像ファイルの中からファイル名順で先頭の画像ファイルを読み出させる。
【０１４４】
読み出された画像ファイルの圧縮画像データは、圧縮・伸張処理回路１４６に加えられ、非圧縮の画像データにされたのち、ＬＣＤ／ビデオエンコーダ１５４に加えられる。ＬＣＤ／ビデオエンコーダ１５４は、ＣＰＵ１１０からの指令に従って、その画像データが示す画像を液晶モニタ３０に表示するための信号を生成し、液晶モニタ３０に出力する。また、その画像データが示す画像をプロジェクタ２００に表示するための信号を生成して、映像出力端子４８に出力する。
【０１４５】
これにより、図１５( ｂ）に示すように、選択されたプレゼンテーション用フォルダに格納されているプレゼンテーション用の画像ファイルが表す画像が、液晶モニタ３０に表示されるとともに、プロジェクタ２００に出力され、プロジェクタ２００からスクリーン２０２に映し出される。
【０１４６】
なお、プレゼンテーション用フォルダにプレゼンテーション用の画像ファイルが格納されていない場合は、再生する画像がない旨のメッセージが液晶モニタ３０に表示される（図１３（ｂ）参照）。
【０１４７】
また、プロジェクタ２００への出力は、プレゼンテーション用の画像ファイルの再生時のみ行い、再生対象とするフォルダの選択画面等は液晶モニタ３０にのみ表示されるようにしてもよい。
【０１４８】
画像のコマ送り、拡大・縮小等の操作は、上記同様、すべて再生モード時と同じ操作で行われる。すなわち、画像のコマ送りは、十字ボタン３４で行われ、画像の拡大・縮小は、ズームボタン３２で行われる。また、画像の拡大表示中に十字ボタン３４が操作されると、その十字ボタン３４を操作した方向に画像がスクロールする。
【０１４９】
また、画像再生中にＤＩＳＰボタン３８が押されると、マルチ再生が行われ、図１５( ｃ) に示すように、最大９枚のプレゼンテーション用の画像ファイルのサムネイル画像が一度に液晶モニタ３０及びプロジェクタに表示される。そして、この中の任意のサムネイル画像をカーソルで選択し、ＤＩＳＰボタン３８を押すと、そのカーソルで選択された画像が液晶モニタ３０及びプロジェクタ２００に拡大表示される。
【０１５０】
また、再生メニューからスライドショーを実行すると、選択されたプレゼンテーション用フォルダに格納されているプレゼンテーション用の画像ファイルが一定間隔で順次自動再生されて、スライドショーが行われる。
【０１５１】
このようにプレゼンテーションごとにプレゼンテーション用フォルダを作成してプレゼンテーション用の画像ファイルを格納することにより、プレゼンテーションごとの画像ファイルの管理が容易になり、誤って関係のないプレゼンテーション用の画像ファイルが再生されるのを有効に防止することができる。
【０１５２】
なお、プレゼンテーション用ルートフォルダ及びプレゼンテーション用フォルダのフォルダ名については、上記実施の形態に示したものに限らず、他のフォルダ名を付けてもよい。また、プレゼンテーション用フォルダのフォルダ名に関しては、ユーザが自由に付与できるようにしてもよい。これにより、プレゼンテーション用フォルダの管理が更に容易になる。
【０１５３】
また、上記例では、プレゼンテーション用ルートフォルダの下位層にプレゼンテーション用フォルダを作成し、そのプレゼンテーション用フォルダにプレゼンテーション用の画像ファイルを格納するようにしているが、プレゼンテーション用フォルダの下位層に更にフォルダを作成し、そのフォルダにプレゼンテーション用の画像ファイルを格納できるようにしてもよい。
【０１５４】
なお、プレゼンテーション用の画像ファイルに関しては、たとえば、デジタルカメラをパーソナルコンピュータ等の外部機器に接続し、その接続先の機器から取り込むようにしてもよいし、また、記憶メディア１５０をデジタルカメラから取り外し、パーソナルコンピュータ等の他の機器で記録するようにしてもよい。あるいは、デジタルカメラ内で記録済みの画像ファイルをプレゼンテーション用フォルダ（又はプレゼンテーション用ルートフォルダ）にコピーして格納してもよい。以下、記録済みの画像ファイルをプレゼンテーション用フォルダ（又はプレゼンテーション用ルートフォルダ）にコピーする場合の処理について説明する。
【０１５５】
まず、カメラのモードを再生モードに設定し、図１６（ａ）に示すように、コピー対象とする画像を液晶モニタ３０に表示させる。
【０１５６】
ユーザは、この状態でＭＥＮＵ／ＯＫボタン３６を押す。ＭＥＮＵ／ＯＫボタン３６が押されると、ＣＰＵ１１０は、図１６（ｂ）に示すように、液晶モニタ３０に再生メニューを表示させる。ユーザは、この再生メニューの中からカーソルで「コピー」の項目を選択する。
【０１５７】
コピーの項目が選択されると、ＣＰＵ１１０は、図１６（ｃ）に示すように、複写先となるプレゼンテーション用フォルダ（又はプレゼンテーション用ルートフォルダ）の一覧を液晶モニタ３０に表示させる。ユーザは、この一覧表示されたフォルダの中から複写先とするフォルダをカーソルで選択し、ＭＥＮＵ/ ＯＫボタン３６を押す。
【０１５８】
なお、「新規作成」を選択すると、指定した階層にフォルダを新規作成できるものとする。
【０１５９】
ＭＥＮＵ／ＯＫボタン３６が押されると、ＣＰＵ１１０は、再生中の画像ファイルを指定されたフォルダにコピーする。
【０１６０】
このように、デジタルカメラ内で記録済みの画像ファイルをプレゼンテーション用フォルダ（又はプレゼンテーション用ルートフォルダ）にコピーしてプレゼンテーション用の画像ファイルを生成してもよい。
【０１６１】
なお、上記例では、選択した画像ファイルを指定されたフォルダにコピーするようにしているが、指定されたフォルダに実体をコピーするのではなく、ショートカットファイルを作成するようにしてもよい。これにより、記憶メディアの容量が不要に圧迫されるのを防止することができる。なお、この場合、実体のコピーあるいはショートカットファイルの作成をユーザが選択できるようにしてもよい。
【０１６２】
また、上述した一連の実施の形態では、本発明をデジタルカメラに適用した場合を例に説明したが、本発明の適用は、これに限定されるものではない。たとえば、デジタルカメラの他、ビデオカメラやカメラ付携帯電話等にも適用することができる。
【０１６３】
なお、カメラ付き携帯電話に適用する場合には、次のように構成することが好ましい。すなわち、そのカメラ付き携帯電話に留守番応答機能が備えられている場合には、プレゼンテーションモードに設定すると、プレゼンテーションモード中の着信に対して自動的に留守番応答されるように構成する。
【０１６４】
また、そのカメラ付き携帯電話にマナーモード機能（着信に対して振動又はＬＥＤの発光で着信を通知する機能）が備えられている場合には、プレゼンテーションモードに設定すると、プレゼンテーションモード中の着信に対して自動的にマナーモードに設定され、振動又はＬＥＤの発光で着信を通知するように構成する。
【０１６５】
あるいは、プレゼンテーションモード中に着信があると、カメラ付き携帯電話機に備えられた液晶モニタにのみ着信がある旨のメッセージが表示されるように構成する（カメラ付き携帯電話機に接続したプロジェクタやテレビモニタ等の外部表示装置には表示させないようにする。）。
【０１６６】
なお、プレゼンテーションモード中の着信に対して自動的に留守番応答するとともに、自動的にマナーモードに設定するようにしてもよいし、また、自動的に留守番応答するとともに、着信メッセージを表示させるようにしてもよい。上記の機能を複数組み合わせて作動させてもよい。
【図面の簡単な説明】
【０１６７】
【図１】デジタルカメラの正面斜視図
【図２】デジタルカメラの背面斜視図
【図３】デジタルカメラの電気的構成を示すブロック図
【図４】Ｅｘｉｆ形式の画像ファイルの構成を示す図
【図５】Ｅｘｉｆ形式の画像ファイルに書き込まれる付属情報の一覧を示す図
【図６】記憶メディアの記録領域に作成されるフォルダ構造を示す図
【図７】画像再生時における液晶モニタの表示例を示す図
【図８】プレゼンテーションモード時におけるデジタルカメラの使用例を示す図
【図９】記憶メディアの記録領域に作成されるフォルダ構造を示す図
【図１０】液晶モニタとプロジェクタの表示例を示す図
【図１１】ダイヤル式の電源／モードスイッチの構成を示す平面図
【図１２】記憶メディアの記録領域に作成されるフォルダ構造を示す図
【図１３】プレゼンテーションモード時における画像の表示例を示す図
【図１４】記憶メディアの記録領域に作成されるフォルダ構造を示す図
【図１５】プレゼンテーションモード時における画像の表示例を示す図
【図１６】画像コピー時における液晶モニタの表示例を示す図
【符号の説明】
【０１６８】
１０…デジタルカメラ、１２…カメラボディ、１４…撮影レンズ、１６…ファインダ窓、１８…ストロボ、２０…マイク、２２…シャッターボタン、２４…電源／モードスイッチ、２４Ａ…電源／モードスイッチ、２６…モードダイヤル、２８…ファインダ接眼部、３０…液晶モニタ、３２…ズームボタン、３４…十字ボタン、３６…ＭＥＮＵ／ＯＫボタン、３８…ＤＩＳＰボタン、４０…ＢＡＣＫボタン、４２…スピーカ、４４…ＵＳＢ端子、４６…電源端子、４８…映像出力端子、５０…絞り、１１０…ＣＰＵ、１１２…操作部、１１４…バス、１１６…ＲＯＭ、１１８…ＥＥＰＲＯＭ、１２０…メモリ（ＳＤＲＡＭ）、１２２…ＶＲＡＭ、１２６…光学ユニット、１２８…フォーカスモータドライバ、１３０…ズームモータドライバ、１３２…アイリスモータドライバ、１３４…撮像素子、１３６…タイミングジェネレータ（ＴＧ）、１３８…アナログ処理回路、１４０…Ａ／Ｄ変換器、１４２…画像入力コントローラ、１４４…画像信号処理回路、１４６…圧縮・伸張処理回路、１４８…メディアコントローラ、１５０…記憶メディア（メモリカード）、１５２…ＵＳＢインターフェース、１５４…ＬＣＤ／ビデオエンコーダ、１５６…ＯＳＤ回路、１５８…ＡＥ／ＡＷＢ検出回路、１６０…ＡＦ検出回路、１６４…音声信号処理回路、１６６…Ｄ／Ａ変換器、１６８…アンプ（ＡＭＰ）、１７０…アンプ（ＡＭＰ）、１７２……自動レベルコントローラ（ＡＬＣ）、１７６…Ａ／Ｄ変換器、、１８４…タイマ、２００…プロジェクタ、２０２…スクリーン
【図１】
2006014217.tif 000003
【図２】
2006014217.tif 000004
【図３】
2006014217.tif 000005
【図４】
2006014217.tif 000006
【図５】
2006014217.tif 000007
【図６】
2006014217.tif 000008
【図７】
2006014217.tif 000009
【図８】
2006014217.tif 000010
【図９】
2006014217.tif 000011
【図１０】
2006014217.tif 000012
【図１１】
2006014217.tif 000013
【図１２】
2006014217.tif 000014
【図１３】
2006014217.tif 000015
【図１４】
2006014217.tif 000016
【図１５】
2006014217.tif 000017
【図１６】
2006014217.tif 000018